(57)【要約】【課題】ポストアンプへの出力パワーを安定化し、光パケット信号の伝送性能を向上させること。【解決手段】ヘッダ抽出部４０２が、受信する光パケット信号（入力光パケット）のヘッダから、当該光パケット信号のパケットの長さに関する情報を取得し、光パケット密度算出部４０３が、パケットの長さと、光パケット信号を伝送するビットレートおよび周期と、に基づいて、光パケット信号のパケット密度を算出し、調整指示部４０４が、パケット密度に基づいて、ＶＯＡ４０１を調整して、ポストアンプへ出力する光パケット信号（出力光パケット）の出力パワーを制御する。【選択図】図４
2018182643.tif 000002
【特許請求の範囲】
【請求項１】
受信する光パケット信号のヘッダから、当該光パケット信号のパケットの長さに関する情報を取得し、
前記パケットの長さと、前記光パケット信号を伝送するビットレートおよび周期と、に基づいて、前記光パケット信号のパケット密度を算出し、
前記パケット密度に基づいて、ポストアンプへ出力する前記光パケット信号の出力パワーを制御することを特徴とする伝送装置。
【請求項２】
ＶＯＡ（Ｖａｒｉａｂｌｅ  Ｏｐｔｉｃａｌ  Ａｔｔｅｎｕａｔｏｒ）を用いて前記光パケット信号の出力パワーの減衰量を制御することを特徴とする請求項１に記載の伝送装置。
【請求項３】
前記パケット密度に対する前記ＶＯＡの減衰量を制御する値に関する情報に基づいて、前記光パケット信号の出力パワーの減衰量を制御することを特徴とする請求項２に記載の伝送装置。
【請求項４】
前記光パケット信号を所定時間だけ遅延させ、遅延させた前記光パケット信号を前記ＶＯＡに入力することを特徴とする請求項２または３に記載の伝送装置。
【請求項５】
複数のアッテネータおよび前記アッテネータを切り換えるスイッチを用いて前記光パケット信号の出力パワーの減衰量を制御することを特徴とする請求項１に記載の伝送装置。
【請求項６】
前記アッテネータに、出力パワーの減衰量の異なる前記光パケット信号をそれぞれ入力し、
前記パケット密度に対して選択される前記アッテネータに関する情報に基づいて、前記スイッチの切り換えを制御することを特徴とする請求項５に記載の伝送装置。
【請求項７】
受信する前記光パケット信号を所定時間だけ遅延させ、遅延させた前記光パケット信号を前記アッテネータに入力することを特徴とする請求項５または６に記載の伝送装置。
【請求項８】
前記パケット密度に関する情報と前記パケット密度に対する前記減衰量を制御する値に関する情報とを関連付けて記憶するデータベースを備え、
前記データベースを用いて、前記光パケット信号の出力パワーの減衰量を制御することを特徴とする請求項１〜７のいずれか一つに記載の伝送装置。
【請求項９】
前記減衰量を制御する値は、前記光パケット信号の平均出力パワーを、あらかじめ定められた平均出力パワーの目標値になるように減衰させる値であることを特徴とする請求項８に記載の伝送装置。
【請求項１０】
前記ビットレートおよび前記周期の少なくともいずれかは、前記光パケット信号のヘッダから抽出することを特徴とする請求項１〜９のいずれか一つに記載の伝送装置。
【請求項１１】
受信する光パケット信号のヘッダから、当該光パケット信号のパケットの長さに関する情報を取得し、
前記パケットの長さと、前記光パケット信号を伝送するビットレートおよび周期と、に基づいて、前記光パケット信号のパケット密度を算出し、
前記パケット密度に基づいて、ポストアンプへ出力する前記光パケット信号の出力パワーを制御することを特徴とする伝送方法。
【発明の詳細な説明】
【技術分野】
【０００１】
本発明は、伝送装置および伝送方法に関する。
【背景技術】
【０００２】
従来、光パケット信号は、バースト光であり、パケットが存在しない時間は、消光するため、光パケット信号の伝送レートの変動にともない出力パワーが変動する。
【０００３】
また、先行技術として、光パケット信号のピークパワーを安定化させる技術がある（たとえば、下記特許文献１、特許文献２参照。）。
【先行技術文献】
【特許文献】
【０００４】
【特許文献１】特開２０１２−１２４７３１号公報
【特許文献２】特開２０１２−２４９１７０号公報
【発明の概要】
【発明が解決しようとする課題】
【０００５】
しかしながら、上記先行技術にあっては、ポストアンプへ出力される出力パワーを監視し、監視結果を減衰器にフィードバックすることによって当該出力パワーを調整するので、急激な出力パワーの変動に対応することができず、出力パワーを安定化してポストアンプへ供給することができないという問題点がある。
【０００６】
一つの側面では、本発明は、光パケット信号の伝送性能を向上させることを目的とする。
【課題を解決するための手段】
【０００７】
本発明の一態様によれば、受信する光パケット信号のヘッダから、当該光パケット信号のパケットの長さに関する情報を取得し、当該パケットの長さと、光パケット信号を伝送するビットレートおよび周期と、に基づいて、光パケット信号のパケット密度を算出し、当該パケット密度に基づいて、ポストアンプへ出力する光パケット信号の出力パワーの減衰量を制御する伝送装置および伝送方法が提案される。
【発明の効果】
【０００８】
本発明の一側面によれば、光パケット信号の伝送性能を向上させるという効果を奏する。
【図面の簡単な説明】
【０００９】
【図１】図１は、実施の形態にかかる伝送装置を含む光伝送ネットワークの構成の一例を示す説明図である。
【図２】図２は、実施の形態にかかる伝送装置の機能的構成の一例を示す説明図である。
【図３】図３は、シェルフ型ＷＤＭ光パス／パケット統合ネットワーク装置のイメージの一例を示す説明図である。
【図４】図４は、実施の形態にかかる伝送装置の一部の機能的構成の一例（その１）を示す説明図である。
【図５】図５は、入力光パケット信号の構成を示す説明図である。
【図６】図６は、光パケット信号のフォーマットの一例を示す説明図である。
【図７】図７は、光パケット密度の内容を示す説明図である。
【図８Ａ】図８Ａは、光パケット密度と平均パワーとの関係を示す説明図（その１）である。
【図８Ｂ】図８Ｂは、光パケット密度と平均パワーとの関係を示す説明図（その２）である。
【図９】図９は、光パケット密度を用いたＶＯＡ制御における波長単位での平均パワーの動きを示す説明図である。
【図１０】図１０は、データベースの内容の一例を示す説明図である。
【図１１】図１１は、データベース作成の手順の一例を示すフローチャートである。
【図１２】図１２は、ＶＯＡ制御の手順の一例を示すフローチャートである。
【図１３】図１３は、実施の形態にかかる伝送装置の一部の機能的構成の一例（その２）を示す説明図である。
【図１４】図１４は、実施の形態にかかる伝送装置の一部の機能的構成の一例（その３）を示す説明図である。
【図１５】図１５は、実施の形態にかかる伝送装置の一部の機能的構成の一例（その４）を示す説明図である。
【図１６Ａ】図１６Ａは、平均パワーの過渡時変動の状態の一例を示す説明図である。
【図１６Ｂ】図１６Ｂは、平均パワーの過渡時変動の状態の別の一例を示す説明図である。
【図１７】図１７は、実施例１にかかる伝送装置の機能的構成を示す説明図である。
【図１８】図１８は、実施例２にかかる伝送装置の機能的構成を示す説明図である。
【図１９】図１９は、実施例３にかかる伝送装置の機能的構成を示す説明図である。
【図２０】図２０は、実施例３にかかる伝送装置の光パケット信号のフォーマットの一例を示す説明図である。
【発明を実施するための形態】
【００１０】
以下に添付図面を参照して、本発明にかかる伝送装置および伝送方法の実施の形態を詳細に説明する。
【００１１】
（実施の形態）
（光パケットネットワークの構成）
図１は、実施の形態にかかる伝送装置を含む光伝送ネットワークの構成の一例を示す説明図である。
【００１２】
図１において、光伝送ネットワークの一例であるＷＤＭ（Ｗａｖｅｌｅｎｇｔｈ  Ｄｉｖｉｓｉｏｎ  Ｍｕｌｔｉｐｌｅｘ）回線網１００においては、伝送装置（ノード（ｎｏｄｅ）１）１０１と、伝送装置（ノード（ｎｏｄｅ）２）１０２と、伝送装置（ノード（ｎｏｄｅ）３）１０３と、伝送装置（ノード（ｎｏｄｅ）４）１０４と、がリング状に接続されている。図示は省略するが、各伝送装置１０１〜１０４が、それぞれ互いに接続されていてもよい。
【００１３】
各伝送装置１０１〜１０４は、それぞれイーサネット（ＥＴＨＥＲＮＥＴ（登録商標））１１１〜１１４に接続されており、イーサネット１１１〜１１４からイーサパケットを受信し、いずれかの伝送装置１０１〜１０４へ光パケットを送信した後、別のイーサネット１１１〜１１４へ送信する。このようにして、光パケット信号のスイッチング処理を実現している。
【００１４】
（伝送装置の構成）
図２は、実施の形態にかかる伝送装置の機能的構成の一例を示す説明図である。図２は、伝送装置の一例として、伝送装置１０３について示している。
【００１５】
図２において、伝送装置１０３の一例であるＷＤＭ光パス／パケット統合ネットワーク装置は、プリアンプである前段（入力側）のラインアンプ（Ｌｉｎｅ  Ａｍｐ）２０１と、前段（入力側）の光波長スイッチ部２０２と、光パス送受信部２０３と、光パケットスイッチ部２０４と光パケット送受信部２０５と、後段（出力側）の光波長スイッチ部２０６と、ポストアンプである後段（出力側）のラインアンプ（Ｌｉｎｅ  Ａｍｐ）２０７と、を有する。
【００１６】
他のノードからＷＤＭ回線を通じて入力されたＷＤＭ信号は、プリアンプ２０１を介して、入力側の光波長スイッチ部２０２に入力される。入力側の光波長スイッチ部２０２では、入力されたＷＤＭ信号のうち、通過（Ｔｈｒｏｕｇｈ）するものは、出力側の光波長スイッチ部２０６へ送られる。
【００１７】
一方、入力されたＷＤＭ信号のうち、分岐（Ｄｒｏｐ）する光パス信号は、光パス送受信部２０３へ送られて、そこから、イーサネット１１３へ出力される。また、入力されたＷＤＭ信号のうち、光パケット信号は、光パケットスイッチ部２０４へ送られる。光パケットスイッチ部２０４において、分岐（Ｄｒｏｐ）する光パケット信号は、光パケット送受信部２０５へ送られて、そこから、イーサネット１１３へ出力される。
【００１８】
イーサネット１１３から光パス送受信部２０３へ入力された、挿入（Ａｄｄ）する光パケット信号は、出力側の光波長スイッチ部２０６へ送られる。また、イーサネット１１３から光パケット送受信部２０５へ入力された、挿入（Ａｄｄ）する光パケット信号は、光パケットスイッチ部２０４を介して、出力側の光波長スイッチ部２０６へ送られる。
【００１９】
出力側の光波長スイッチ部２０６に送られてきた信号は、ポストアンプ２０７を介して他のノードへ出力される。
【００２０】
このように、ＷＤＭ光パス／パケット統合ネットワーク装置とは、ＷＤＭ伝送装置（ＲＯＡＤＭ）に光パケット交換機能を追加したものであり、光パス信号と光パケット信号をそれぞれ別の複数波長に割り当てて運用する。
【００２１】
また、ＷＤＭ光パス／パケット統合ネットワーク装置の運用形態の一例として、シェルフ型ＷＤＭ光パス／パケット統合ネットワーク装置がある。図３は、シェルフ型ＷＤＭ光パス／パケット統合ネットワーク装置のイメージの一例を示す説明図である。図３において、光波長スイッチ部２０２、２０６、光パケット送受信部２０５、光パケットスイッチ部２０４、光パス送受信部２０３などが、シェルフ型ＷＤＭ光パス／パケット統合ネットワーク装置３００に実装される。
【００２２】
シェルフ型ＷＤＭ光パス／パケット統合ネットワーク装置３００は、光伝送ネットワークの構築に必要となるトランスポート、ＷＤＭ、スイッチ、アクセスの各機能をそれぞれブレードとして提供するディスアグリゲーション構成を採用し、機能ごとに機器を分割した構成にする。
【００２３】
このように構成することで、シェルフ型ＷＤＭ光パス／パケット統合ネットワーク装置３００は、個別に迅速な機能追加や性能改善を図ることが可能であり、初期投資を抑えながら迅速なネットワーク環境の構築を可能にするものである。
【００２４】
（伝送装置の一部の機能的構成）
図４は、実施の形態にかかる伝送装置の一部の機能的構成の一例（その１）を示す説明図である。図４において、伝送装置１０３は、ＶＯＡ（Ｖａｒｉａｂｌｅ  Ｏｐｔｉｃａｌ  Ａｔｔｅｎｕａｔｏｒ）４０１と、ヘッダ抽出部４０２と、光パケット密度算出部４０３と、調整指示部４０４と、データベース４０５と、を有する。
【００２５】
ＶＯＡ４０１は、波長ごとに光信号の強さ、すなわち光パケット信号の出力パワーを調整する可変光減衰器である。ＶＯＡ４０１は、ポストアンプ２０７へ出力する光パケット信号の出力パワーを調整する。
【００２６】
ヘッダ抽出部４０２は、受信する光パケット信号の経路情報ヘッダからパケットの長さに関する情報、すなわちパケット長情報を抽出することによって取得し、取得した情報を、光パケット密度算出部４０３へ出力する。経路情報ヘッダの詳細な内容については、図６を用いて、後述する。
【００２７】
光パケット密度算出部４０３は、ヘッダ抽出部４０２が取得した情報を入力し、入力した情報にかかるパケットの長さと、伝送装置１０３のビットレートおよび周期とに基づいて、たとえば後述する式（１）を用いて、光パケット信号のパケット密度を算出し、算出したパケット密度に関する情報を調整指示部４０４へ出力する。パケット密度およびパケット密度の算出についての詳細な内容は、図７を用いて、後述する。
【００２８】
パケット密度の算出に用いるビットレートおよび周期に関する情報は、図示を省略する、伝送装置１０３の装置全体の制御をつかさどるメインＣＰＵの運用情報の一部として所定の記憶領域に記憶されている、光パケット密度算出部４０３は、当該記憶領域からビットレートおよび周期に関する情報を取得することができる。
【００２９】
調整指示部４０４は、光パケット密度算出部４０３において算出された光パケット密度に関する情報を入力し、入力した情報にかかるパケット密度に基づいて、ＶＯＡ４０１によるポストアンプ２０７へ出力する光パケット信号の出力パワーの調整をおこなう際の調整値についてＶＯＡ４０１へ指示する。
【００３０】
具体的には、調整指示部４０４は、データベース４０５を参照して、入力した情報にかかるパケット密度に対応する調整値に関する情報を抽出し、抽出した調整値に関する情報に基づいて、ＶＯＡ４０１による光パケット信号の出力パワーの減衰量を制御する値に関する情報（制御信号）をＶＯＡ４０１へ出力する。
【００３１】
データベース４０５は、パケット密度に関する情報と、パケット密度に対応する調整値、すなわち、パケット密度に対する減衰量を制御する値に関する情報とを関連付けて記憶する。データベース４０５の詳細な内容については、図１０および図１１を用いて、後述する。
【００３２】
このように、伝送装置１０３は、算出したパケット密度でデータベース４０５を参照しＶＯＡ４０１の調整値を取得し、その調整値に基づいてＶＯＡ４０１をフィードフォワード制御することによって、光パケット信号の光波長スイッチ部２０６内の波長選択スイッチ部（ＷＳＳ）１７２０の出力パワーを一定にすることができる。波長選択スイッチ部（ＷＳＳ（Ｗａｖｅｌｅｎｇｔｈ  Ｓｅｌｅｃｔｉｖｅ  Ｓｗｉｔｃｈ））１７２０の詳細については、図１７を用いて、後述する。
【００３３】
また、伝送装置１０３は、ＶＯＡ４０１をフィードフォワード制御することによって、光パケット信号に対して従来のパワーモニタによるＶＯＡ制御をおこなった場合と比較し、たとえば、パケット信号が存在しない時間帯をモニタしてＶＯＡが最大限に開き、その状態で光パケット密度が急激に高くなると非常に大きなパワーが出力されてしまう場合であっても、効率的に出力パワーを抑制することができる。
【００３４】
また、従来のパワーモニタによるＶＯＡ制御は、出力パワーをモニタしてフィードバック制御をかけているため、モニタするタイミングに関係なく密度が変化した瞬間は必ず変動が出力されてしまうが、ＶＯＡ４０１をフィードフォワード制御することによって、当該変動の出力を効率的に抑制することができる。
【００３５】
（光パケット信号の構成）
図５は、入力光パケット信号の構成を示す説明図である。図５において、横軸を時間ｔとし、縦軸をピークパワー［ｄＢｍ／ｃｈ］としたときの光パケット信号の構成を示している。図５に示すように、光パケット信号はバースト光であり、通常のＩＰパケットとは異なりパケットが存在しない時間は消光する。したがって、光パケットが存在しない時間帯は他の光パケットによる通信が可能となり、ネットワーク資源の有効活用が可能である。
【００３６】
（光パケット信号のヘッダの構成）
図６は、光パケット信号のフォーマットの一例を示す説明図である。光パケット信号には、後述するヘッダ生成・多重部１７０２（図１７参照）にて、ＥＴＨＥＲフレームに対して、経路情報ヘッダが付加される。
【００３７】
図６に示すように、経路情報ヘッダは、その先頭に光パケット長情報（ＬＥＮＧＴＨ）を持っている。その他、経路情報ヘッダは、宛先情報（Ｄｓｔ．ＩＤ）、送信元ノード情報（Ｓｒｃ．Ｎｄｅ  ＩＤ）、パケット情報（Ｐａｃｋｅｔ  Ｉｎｆｏ．）、誤り訂正符号（ＥＣＣ（Ｅｒｒｏｒ  Ｃｏｒｒｅｃｔｉｏｎ  Ｃｏｄｅ））などによって構成されるフォーマットからなる。
【００３８】
（光パケット密度の内容）
図７は、光パケット密度の内容を示す説明図である。図７においては、図５と同様に、横軸を時間ｔとし、縦軸をピークパワー［ｄＢｍ／ｃｈ］としたときの光パケット信号の構成を示している。図７に示すように、単位時間あたりに光パケット信号が存在する時間の割合を「光パケット密度」と定義する。
【００３９】
具体的には、下記に示した式（１）を用いることによって、パケット密度を算出することができる。
【００４０】
【数１】
2018182643.tif 000003
【００４１】
すなわち、バイトで示されているパケット長［ｂｙｔｅ］を８倍することで、ビット単位とした上で、ビットレート［ｂｐｓ］に周期［ｓ］を乗じた値で除算する。この式（１）によって、パケット密度、すなわち、単位時間（一定の周期）において、光パケット信号が存在する時間の割合がわかる。なお、光パケット長情報からパケット密度を算出するのはあくまで算出方法の一つであって、その他の手法によってパケット密度を算出するようにしてもよい。
【００４２】
図８Ａおよび図８Ｂは、光パケット密度と平均パワーとの関係を示す説明図である。図８Ａにおいて、グラフ８０１は、ＷＳＳ（波長選択スイッチ部）のＶＯＡの入力平均パワーを示しており、グラフの上にそれぞれ示したパーセンテージ（２０％、１０％、５％、・・・）は、それぞれパケット密度を示している。
【００４３】
図８Ａに示すように、光パケット信号のピークパワーが同じである場合は、光パケット密度が上がれば光信号の平均パワーは大きくなり、逆に密度が下がれば平均パワーは小さくなることがわかる。図８Ｂには、パケット密度に対するＷＳＳのＶＯＡの入力平均パワーの具体的な数値を示している。
【００４４】
光パケット密度は実運用上、時間的にランダムに変動する。したがって、具体的には、たとえば、光パケット密度が０．１〜１００％で変動する場合、光パケット信号の光波長スイッチ入力パワーは８．６ｄＢ（（−６．３０ｄＢ）−（−１４．９ｄＢ））のダイナミックレンジで変動することがわかる。
【００４５】
図９は、光パケット密度を用いたＶＯＡ制御における波長単位での平均パワーの動きを示す説明図である。図９において、符号９０１は、ＷＳＳのＶＯＡの入力平均パワーを示しており、符号９０２はＷＳＳのＶＯＡの出力平均パワーを示している。
【００４６】
図９において、ＷＳＳのＶＯＡの出力平均パワー９０２を、平均出力パワーの目標値である、「Ｔａｒｇｅｔ：−２４．４ｄＢｍ／ｃｈ」とした場合に、図８Ｂで示したように、パケット密度が２０％の場合に、ＷＳＳのＶＯＡの入力平均パワーは−１１．３ｄＢｍ／ｃｈであるから、その差分は１３．１ｄＢとなる。同様に、パケット密度が１０％の場合に、ＷＳＳのＶＯＡの入力平均パワーは−１２．８ｄＢｍ／ｃｈであるから、その差分は１１．６ｄＢとなる。
【００４７】
このように、この差分に基づいてＶＯＡを制御すれば、平均出力パワーが目標値になるように、出力パワーを減衰させることができる。また、平均出力パワーの目標値は、ポストアンプ２０７の入力許容範囲内の値であればよい。
【００４８】
このように、パケット密度を高速（たとえば１００ｍｓ周期など）で監視する。グラフ９０１の『○』（白丸）が監視のタイミングポイントである。このようにして、各監視のタイミングポイントにおいて、パケット密度が算出できれば、目標値となるようなパワーの差分値（調整値）については取得することができる。
【００４９】
また、パケット密度に基づいて、調整値を取得することができるので、フィードフォワード制御によって、処理することができる。パケット密度を監視してフィードフォワード制御をかけることができるため、従来のフィードバック制御方式と違いパケット密度が変化するタイミングでの変動にも対応することができ、出力パワーを安定化することが可能となる。
【００５０】
（データベースの内容および作成の手順）
つぎに、データベース４０５の内容について説明する。図１０は、データベースの内容の一例を示す説明図である。図１０において、データベース４０５は、「パケット密度」に関する情報と、「パケット密度に対する減衰量を制御する値に関する情報」とを関連付けて記憶する。
【００５１】
パケット密度は、上述した式（１）によって算出されたパケット密度に関する情報を、所定数だけ、段階的に記憶する。図１０においては、０．１％〜１００％まで１３段階にして記憶している。この数は、ＶＯＡの性能などの条件によって、適宜設定することができる。
【００５２】
パケット密度に対する減衰量を制御する値に関する情報としては、各パケット密度においてＷＳＳのＶＯＡの入力値を、パケット密度に対応させて記憶する。さらに、目標値との差分であるＶＯＡ値を、パケット密度に対応させて記憶する。したがって、パケット密度がわかれば、データベース４０５を参照することにより、ＶＯＡの減衰量を制御するＶＯＡ値を取得することができる。
【００５３】
図１０に示した数値は、上述した図８Ａ、図８Ｂ、図９において示した数値の例に対応させた数値、すなわち、目標値が、ポストアンプ２０７の入力許容範囲内の値である「Ｔａｒｇｅｔ：−２４．４ｄＢ」として、ＶＯＡ値を示している。
【００５４】
図１１は、データベース作成の手順の一例を示すフローチャートである。図１１のフローチャートにおいて、まず、光パケット送受信部２０５から密度固定のパケットを送信する（ステップＳ１１０１）。ここでは、それぞれのパケット密度（たとえば０．１％、１％、５％、・・・１００％）となるような密度固定のパケットを順次送信する。そして、各パケット密度による密度固定パケットが送信された際のＷＳＳのＶＯＡの入力値の平均パワーをモニタする（ステップＳ１１０２）。
【００５５】
このようにして、各パケット密度に対するＷＳＳのＶＯＡの入力値およびＶＯＡ値を、それぞれ各パケット密度に関連付けて記憶することで、データベースを作成し（ステップＳ１１０３）。処理を終了する。このようにして、データベースを運用する前に準備しておくようにするとよい。
【００５６】
また、データベース４０５は、運用中に定期的に最適化するようにしてもよい。具体的には、たとえば、まず、ＷＳＳの出力パワーモニタでの値をフィードバックし、データベースの値との差分をとる。
【００５７】
そして、その差分の時間平均値が、たとえば１ｄＢなどのしきい値を超えた場合に、データベースの値と実際の値にずれが生じたと判断し、そのパケット密度に対応するデータベースの値をモニタ値から更新するようにしてもよい。
【００５８】
ここでの平均値をとる時間（周期数）、差分のしきい値などについて、オペレータが任意の値に設定するようにしてもよい。このように、トレーニング信号ではなく、実際に運用されている光パケット信号を用いてフィードバックするように構成するため、運用中においても、データベース４０５の最適化が可能となる。
【００５９】
（処理の手順）
図１２は、ＶＯＡ制御の手順の一例を示すフローチャートである。図１２のフローチャートにおいて、光パケット信号の入力を受け付ける（ステップＳ１２０１）。そして、周期を開始し（ステップＳ１２０２）、入力された光パケット信号からヘッダを抽出する（ステップＳ１２０３）。抽出されたヘッダから、入力された光パケット信号のパケット長情報を取得する（ステップＳ１２０４）。
【００６０】
つぎに、抽出されたパケット長情報に基づいて、パケット密度を算出する（ステップＳ１２０５）。そして、データベース４０５から、算出されたパケット密度に対応するＶＯＡ調整値を取得する（ステップＳ１２０６）。また、詳細は後述するが、光パケット信号に遅延を与える（ステップＳ１２０７）。
【００６１】
その後、ＶＯＡ調整をおこない（ステップＳ１２０８）、ステップＳ１２０２へ戻り、新たな周期が開始されるたびに、引き続きステップＳ１２０２〜１２０８を繰り返しおこなう。
【００６２】
（伝送装置の一部の機能的構成（その２））
図１３は、実施の形態にかかる伝送装置の一部の機能的構成の一例（その２）を示す説明図である。図１３における機能的構成では、図４における機能的構成と比較し、図４のＶＯＡ４０１に代えて、高速光スイッチ１３００と、複数のアッテネータ（ＡＴＴ１〜ｎ）１３０１と、を有する。
【００６３】
図１３におけるその他の構成については、図４と同様である。すなわち、図１３において、伝送装置１０３は、高速光スイッチ１３００と、複数のアッテネータ（ＡＴＴ１〜ｎ）１３０１と、ヘッダ抽出部４０２と、光パケット密度算出部４０３と、調整指示部４０４と、データベース４０５と、を有する。
【００６４】
高速光スイッチ１３００は、複数のアッテネータ１３０１を切り換えるスイッチである。また、複数のアッテネータ１３０１には、減衰量の異なる光パケット信号をそれぞれ入力する。そして、高速光スイッチ１３００は、複数のアッテネータ１３０１のうちのいずれかを選択する。このようにすることで、光パケット信号の出力パワーの減衰を高速でおこなうことができる。
【００６５】
データベース４０５は、パケット密度に関する情報とパケット密度に対応する調整値、すなわち、パケット密度に対する減衰量を制御した光パケット信号を入力したアッテネータ１３０１を特定する情報とを関連付けて記憶する。したがって、アッテネータ１３０１の数ｎは、少なくとも、データベース４０５に段階的に記憶されているパケット密度に関する情報の数と同じかそれ以上であればよい。
【００６６】
ヘッダ抽出部４０２、光パケット密度算出部４０３については、図４に示した内容と同様であるので、その説明は省略する。調整指示部４０４は、光パケット密度算出部４０３において算出された光パケット密度に関する情報を入力し、データベース４０５を参照して、入力した情報にかかるパケット密度に対応するアッテネータ１３０１を特定する情報を抽出し、抽出した情報を調整値に関する情報として、当該情報に基づいて、高速光スイッチ１３００の切り換えを制御する制御信号を高速光スイッチ１３００へ出力する。
【００６７】
このように、パケット密度に対して選択されるアッテネータ１３０１に関する情報（どのアッテネータ１３０１を選択して切り換えるかなど）に基づいて、高速光スイッチ１３００の切り換えを制御することによって、より高速に、出力パワーの減衰処理を実現することができる。
【００６８】
（伝送装置の一部の機能的構成（その３））
図１４は、実施の形態にかかる伝送装置の一部の機能的構成の一例（その３）を示す説明図である。図１４における機能的構成では、図４における機能的構成と比較し、さらに遅延部１４０１を有する。その他の構成は、図４と同様であるので、詳細な説明については省略する。
【００６９】
遅延部１４０１は、たとえば、光ファイバーや光バッファなどを用いて、光パケット信号のＶＯＡ４０１への入力を所定時間だけ遅延させる。遅延させる所定時間は、ヘッダ抽出部４０２によるパケット長の抽出処理時間、光パケット密度算出部４０３によるパケット密度の算出処理時間、調整指示部４０４によるデータベース４０５を参照した調整値出力処理時間、ＶＯＡ４０１による調整処理時間に必要な所要時間を確保できる時間であればよい。
【００７０】
このように、遅延部１４０１を設けて、光パケット信号を所定時間だけ遅延させ、遅延させた光パケット信号をＶＯＡ４０１に入力することによって、パケット長の抽出処理時間、パケット密度の算出処理時間、調整値出力処理時間、調整処理時間などのフィードフォワード制御に必要な時間を稼ぐことができるので、過渡的な時間のパワー変動を抑制することができる。
【００７１】
（伝送装置の一部の機能的構成（その４））
図１５は、実施の形態にかかる伝送装置の一部の機能的構成の一例（その４）を示す説明図である。図１５における機能的構成では、図１３における機能的構成と比較し、さらに遅延部１５０１を有する。その他の構成は、図１３と同様であるので、詳細な説明については省略する。
【００７２】
遅延部１５０１は、図１４に示した遅延部１４０１と同様に、たとえば、光ファイバーや光バッファなどを用いて、光パケット信号のアッテネータ１３０１への入力を所定時間だけ遅延させる。遅延させる所定時間は、ヘッダ抽出部４０２によるパケット長の抽出処理時間、光パケット密度算出部４０３によるパケット密度の算出処理時間、調整指示部４０４によるデータベース４０５を参照した調整値出力処理時間、高速光スイッチ１３００による切り換え処理時間などの時間を確保できる時間であればよい。
【００７３】
このように、遅延部１５０１を設けて、光パケット信号を所定時間だけ遅延させ、遅延させた光パケット信号をアッテネータ１３０１に入力することによって、パケット長の抽出処理時間、パケット密度の算出処理時間、調整値出力処理時間、切り換え処理時間などのフィードフォワード制御に必要な時間を稼ぐことができるので、図１４に示した構成と同様に、過渡的な時間のパワー変動をさらに効率よく抑制することができる。
【００７４】
図１６Ａおよび図１６Ｂは、平均パワーの過渡時変動の状態の一例を示す説明図である。である。図１６Ａは、遅延部１４０１による遅延処理をおこなっていない場合であり、図１６Ｂは、遅延部１４０１による遅延処理をおこなっている場合を示している。図１６Ａにおいて、グラフ１６０１は、ＷＳＳの入力平均パワーを示しており、グラフ１６０２は、ＷＳＳの出力平均パワーを示している。図１６Ｂにおいても、図１６Ａと同様に、グラフ１６１１は、ＷＳＳの入力平均パワーを示しており、グラフ１６１２は、ＷＳＳの出力平均パワーを示している。
【００７５】
図１６Ａの符号１６０３で示した部分は、上述したフィードフォワード制御に必要な各処理時間により、過渡期の調整が間に合わない時間を示している。したがって、符号１６０４で示すように、ＷＳＳの出力平均パワー１６０２の変動が発生する。これに対して、遅延部１４０１を設けることによって、図１６Ｂの符号１６１３に示すように、過渡期の調整が間に合わない時間が短くなっていることがわかる。これにともない、符号１６１４で示すように、ＷＳＳの出力平均パワー１６１２の変動を少なくすることができる。
【００７６】
図示による説明は省略するが、図１５に示した伝送装置１０３においても、遅延部１５０１を設けることによって、ＷＳＳの出力平均パワーの変動に差はあるものの、遅延部１４０１と同様に、ＷＳＳの出力平均パワーの変動をより少なくすることができる。
【００７７】
（実施例１）
つぎに、実施例１にかかる伝送装置１０３について説明する。図１７は、実施例１にかかる伝送装置の機能的構成を示す説明図である。
【００７８】
（光パケット送受信部の機能的構成）
図１７において、伝送装置１０３の一例であるＷＤＭ光パス／パケット統合ネットワーク装置の光パケット送受信部２０５（図１７の左下側）は、イーサネット受信部１７００と、フレーム分割処理部１７０１と、ヘッダ生成・多重部１７０２と、Ｅ／Ｏ変換部１７０３と、波長多重部１７０４と、波長分離部１７０５と、Ｏ／Ｅ変換部１７０６と、イーサネット組立部１７０７と、イーサネット送信部１７０８と、を備えている。
【００７９】
イーサネット受信部１７００は、イーサネットフレームの受信処理をおこなう。具体的には、イーサネット受信部１７００は、１０ＧｂＥの光信号を、たとえばＳＦＰ＋（Ｓｍａｌｌ  Ｆｏｒｍ−Ｆａｃｔｏｒ  Ｐｌｕｇｇａｂｌｅ  Ｐｌｕｓ）、ＰＨＹ（Ｐｈｙｓｉｃａｌ  ｌａｙｅｒ：物理層）、ＭＡＣ（Ｍｅｄｉａ  Ａｃｃｅｓｓ  Ｃｏｎｔｒｏｌ  ａｄｄｒｅｓｓ）などにおいてＯ／Ｅ変換して、イーサネットフレームを抽出する。
【００８０】
フレーム分割処理部１７０１は、イーサネットフレームを分割する。イーサネットフレームの先頭から順番に分割していく。各分割されたデータの先頭には、プリアンブルと同期コードが付加される。それぞれのデータが１波長ずつに割り当てられる。
【００８１】
ヘッダ生成・多重部１７０２と、光パケットのヘッダを生成し、分割された先頭のデータに光パケットヘッダを挿入する。経路情報ヘッダは、宛先情報（Ｄｓｔ．ＩＤ）、送信元ノード情報（Ｓｒｃ．Ｎｄｅ  ＩＤ）、パケット情報（Ｐａｃｋｅｔ  Ｉｎｆｏ．）、誤り訂正符号（ＥＣＣ（Ｅｒｒｏｒ  Ｃｏｒｒｅｃｔｉｏｎ  Ｃｏｄｅ））などを挿入する。宛先ノードＩＤは、イーサネットフレーム中の宛先ＩＰアドレスなどから生成する。生成する方法としては宛先ＩＰアドレスと宛先ノードＩＤを一元管理する、図示を省略するＬｏｏｋｕｐ  Ｔａｂｌｅなどを用いておこなう。ヘッダは同期コードの直後に挿入される。
【００８２】
これらのフレーム分割処理部１７０１、ヘッダ生成・多重部１７０２の各処理は、たとえば、図示を省略するＦＰＧＡ／ＡＳＩＣにより実行することができる。すなわち、ＦＰＧＡ／ＡＳＩＣは、イーサネット終端、データ分割、ヘッダ生成、ヘッダ多重化などの処理を実行する。
【００８３】
Ｅ／Ｏ変換部１７０３は、データをそれぞれλの波長にＥ／Ｏ変換する。Ｅ／Ｏ変換部１７０３は、たとえば、図示を省略する、バースト（Ｂｕｒｓｔ）Ｅ／Ｏ変換器などを用いて変換するため、データが存在する場合のみ発光し、存在しない個所は消光している。そして、波長多重部１７０４は、その波長を多重（ＷＤＭ）し、光パケットスイッチ部２０４へ送る。
【００８４】
波長分離部１７０５は、波長多重部１７０４とは逆は、光パケットスイッチ部２０４の後述するＮ×Ｎ光スイッチ部１７１０から送られてきたＷＤＭ光信号の多重化されている波長を分離する。
【００８５】
Ｏ／Ｅ変換部１７０６は、Ｅ／Ｏ変換部１７０３とは逆に、各波長に変換されたデータをそれぞれＯ／Ｅ変換する。Ｏ／Ｅ変換部１７０６は、図示を省略するバースト（Ｂｕｒｓｔ）Ｏ／Ｅ変換器などを用いて変換する。
【００８６】
イーサネット組立部１７０７は、フレーム分割処理部１７０１とは逆に、フレーム分割処理部１７０１において、分割されたイーサネットフレームから、付与されているプリアンブルと同期コードを削除し、それぞれを組み立てて元のイーサネットフレームにする。
【００８７】
イーサネット送信部１７０８は、イーサネット組立部１７０７において組み立てられたイーサネットフレームの送信処理をおこなう。イーサネット組立部１７０７、イーサネット送信部１７０８の各処理は、たとえば、図示を省略するＦＰＧＡ／ＡＳＩＣにより実行することができる。すなわち、ＦＰＧＡ／ＡＳＩＣは、ヘッダ終端、データ組み立て、イーサネット送信などの処理を実行する。
【００８８】
（光パケットスイッチ部の機能的構成）
図１７において、ＷＤＭ光パス／パケット統合ネットワーク装置の光パケットスイッチ部２０４（図１７の左上側）は、カプラー（ＣＰＬ）１７１１と、ヘッダ多重波長分波部１７１２と、Ｏ／Ｅ変換部１７１３と、図４に示したヘッダ抽出部４０２と、スイッチ（ＳＷ）テーブル１７１４と、方路判定部１７１５と、スイッチ調停部１７１６と、スイッチ制御部１７１７と、Ｎ×Ｎ光スイッチ部１７１０と、を備えている。
【００８９】
カプラー（ＣＰＬ）１７１１は、光パケット送信部２０５の波長多重部１７０４から送られてきたＷＤＭ光信号を分配する。
【００９０】
ヘッダ多重波長分波部１７１２は、図示を省略するＡＷＧ（Ａｒｒａｙｅｄ  Ｗａｖｅｇｕｉｄｅ  Ｇｒａｔｉｎｇ：アレイ導波路回折格子）などを使用して、波長の中からヘッダ情報が挿入されている先頭波長λ０のみ分波し、Ｏ／Ｅ変換部１７１３へ出力する。
【００９１】
Ｏ／Ｅ変換部１７１３は、λ０（ヘッダ情報が挿入されている波長）をＯ／Ｅ変換する。入力されるλ０はバースト光であるため、たとえばバースト（Ｂｕｒｓｔ）Ｏ／Ｅ変換器を使用する。
【００９２】
ヘッダ抽出部４０２は、Ｏ／Ｅ変換部１７１３において、Ｏ／Ｅ変換されたＷＤＭ光信号（光パケット信号）からヘッダを抽出し、抽出したヘッダを方路判定部１７１５へ送るとともに、ヘッダからパケット長情報を抽出し、光波長スイッチ部２０６の光パケット密度算出部４０３へ送る。
【００９３】
ＳＷテーブル１７１４は、宛先ノードＩＤとその出力先（光スイッチの接続先）を記憶するテーブルである。複数の出力先がある場合は、ルートコスト（優先度）を付与する。ＳＷテーブル１７１４は、方路判定部１７１５ごとに設けられ、それぞれ対応する方路判定部１７１５によって参照される。
【００９４】
ＳＷテーブル１７１４は、宛先ノードＩＤとその出力先（光スイッチの接続先）を記憶するテーブルである。複数の出力先がある場合は、ルートコスト（優先度）を付与する。ＳＷテーブル１７１４は、方路判定部１７１５ごとに設けられ、それぞれ対応する方路判定部１７１５によって参照される。
【００９５】
方路判定部１７１５は、各光パケットヘッダ情報から抽出した宛先ノードＩＤで光パケットの出力先（光スイッチの出力ポート）を決定する。その際、方路判定部１７１５は、宛先ノードＩＤでＳＷテーブル１７１４を参照し、Ｎ×Ｎ光スイッチ部１７１０の出力先（スイッチポート）の情報を取得する。
【００９６】
スイッチ調停部１７１６は、各経路から受信する光パケットのスイッチ調停（優先処理）をおこなう。各方路からは非同期に光パケットを受信するため、それぞれの調停が必要となる。
【００９７】
スイッチ制御部１７１７は、スイッチ調停部１７１６による光パケットの調停結果にしたがって、光スイッチの入力と出力の経路接続をおこなう。
【００９８】
Ｎ×Ｎ光スイッチ部１７１０は、光パケットのスイッチを光信号のままでおこなう。Ｎ×Ｎ光スイッチ部１７１０は、具体的にはたとえば、図示を省略する４×４ＳＯＡ光スイッチなどによってその機能を実現する。
【００９９】
ＳＷテーブル１７１４と、ヘッダ抽出部４０２、方路判定部１７１５と、スイッチ調停部１７１６と、スイッチ制御部１７１７などの各処理は、たとえば、図示を省略するＦＰＧＡ／ＡＳＩＣにより実行することができる。すなわち、ＦＰＧＡ／ＡＳＩＣは、ヘッダ抽出、宛先解析、スイッチテーブル、光スイッチ調停、光スイッチ制御などの処理を実行する。
【０１００】
（光波長スイッチ部の機能的構成）
図１７において、ＷＤＭ光パス／パケット統合ネットワーク装置の光波長スイッチ部２０６（図１７の右側）は、図４および図１４に示した光パケット密度算出部４０３と、データベース４０５と、波長スイッチング・ＶＯＡ調整指示部（調整指示部）４０４と、図１４に示した遅延部１４０１と、波長選択スイッチ部１７２０と、カプラー（ＣＰＬ）１７２１と、パワーモニタ部１７２２と、を備えている。
【０１０１】
光パケット密度算出部４０３は、光パケットスイッチ部２０４のヘッダ抽出部４０２から送られてきたパケット長情報と、伝送装置１０３の運用情報であるビットレートおよび周期にかかる情報とから、パケット密度を算出する。算出されたパケット密度は、運用前あるいはデータベースの更新の際は、データベース４０５に記憶される。一方、運用中は、波長スイッチング・ＶＯＡ調整指示部４０４へ送られる。データベース４０５については、すでに説明したので、その詳細な説明は省略する。
【０１０２】
波長スイッチング・ＶＯＡ調整指示部（調整指示部）４０４は、光パケット密度算出部４０３から送られたパケット密度に基づいて、データベース４０５を参照して得られた調整値にかかる制御信号を波長選択スイッチ部１７２０へ送る。
【０１０３】
遅延部１４０１は、Ｎ×Ｎ光スイッチ部１７１０によって出力され、光パケットスイッチ部２０４から送られてきたＷＤＭ光信号（光パケット信号）を入力して遅延させた後、波長選択スイッチ部１７２０へ送る。
【０１０４】
波長選択スイッチ部（ＷＳＳ）１７２０は、たとえばＶＯＡ４０１のような可変光減衰器を備えており、遅延部１４０１から送られてきたＷＤＭ光信号（光パケット信号）を入力し、波長スイッチング・ＶＯＡ調整指示部（調整指示部）４０４から送られてきた制御信号に基づいて、その入力パワーを減衰して出力する。
【０１０５】
カプラー（ＣＰＬ）１７２１は、波長選択スイッチ部１７２０によって出力された、ＷＤＭ光信号（光パケット信号）を分配する。一方は、図示を省略するがポストアンプ２０７へ送られ、他方は、パワーモニタ部１７２２へ送られる。
【０１０６】
パワーモニタ部１７２２は、カプラー（ＣＰＬ）１７２１から分配されて送られてきたＷＤＭ光信号（光パケット信号）を入力することで、波長選択スイッチ部１７２０からの出力パワーを監視する。そして、パワーモニタ部１７２２は、監視した結果を、データベース４０５や、波長スイッチング・ＶＯＡ調整指示部（調整指示部）４０４へ送る。
【０１０７】
（実施例２）
つぎに、実施例２にかかる伝送装置１０３について説明する。図１８は、実施例２にかかる伝送装置の機能的構成を示す説明図である。図１８において、光パケットスイッチ部２０４および光パケット送受信部２０５の構成は、図１７に示した実施例１にかかる伝送装置１０３と同様であるので、その説明は省略する。
【０１０８】
（光波長スイッチ部の機能的構成）
図１８において、ＷＤＭ光パス／パケット統合ネットワーク装置の光波長スイッチ部２０６（図１８の右側）は、図１３および図１５に示した光パケット密度算出部４０３と、データベース４０５と、波長スイッチング・パワー調整指示部（調整指示部）４０４と、高速光スイッチ１３００と、複数のアッテネータ（ＡＴＴ１〜ｎ）１３０１と、図１５に示した遅延部１５０１と、波長選択スイッチ部１８００と、カプラー（１×ｎ  ＣＰＬ）１８０１と、カプラー（ＣＰＬ）１８０２と、パワーモニタ部１８０３と、を備えている。
【０１０９】
光パケット密度算出部４０３と、データベース４０５については、図１７において、すでに説明したので、その説明は省略する。
【０１１０】
波長スイッチング・パワー調整指示部（調整指示部）４０４は、光パケット密度算出部４０３から送られたパケット密度に基づいて、データベース４０５を参照して得られた調整値にかかる制御信号を高速光スイッチ１３００および波長選択スイッチ部１８００へ送る。
【０１１１】
遅延部１５０１は、Ｎ×Ｎ光スイッチ部１７１０によって出力され、光パケットスイッチ部２０４から送られてきたＷＤＭ光信号（光パケット信号）を入力して遅延させた後、カプラー（１×ｎ  ＣＰＬ）１８０１へ送る。
【０１１２】
カプラー（１×ｎ  ＣＰＬ）１８０１は、入力されたＷＤＭ光信号（光パケット信号）を各アッテネータ（ＡＴＴ１〜ｎ）１３０１に分配する。
【０１１３】
高速光スイッチ１３００は、波長スイッチング・パワー調整指示部（調整指示部）４０４から送られてきた制御信号に基づいて、各アッテネータ（ＡＴＴ１〜ｎ）１３０１の切り換え制御をおこない、選択されたＷＤＭ光信号（光パケット信号）を減衰して出力する。
【０１１４】
波長選択スイッチ部１８００は、たとえばＶＯＡ４０１のような可変光減衰器を備えており、高速光スイッチ１３００によって選択されたＷＤＭ光信号（光パケット信号）を入力し、波長スイッチング・パワー調整指示部（調整指示部）４０４から送られてきた制御信号に基づいて、そのパワーを減衰したＷＤＭ光信号（光パケット信号）を出力する。
【０１１５】
カプラー（ＣＰＬ）１８０２およびパワーモニタ部１８０３は、図１７に示したカプラー（ＣＰＬ）１７２１、パワーモニタ部１７２２と同様の構成であるので、その説明は省略する。
【０１１６】
（実施例３）
つぎに、実施例３にかかる伝送装置１０３について説明する。図１９は、実施例３にかかる伝送装置の機能的構成を示す説明図である。実施例３では、経路情報ヘッダに伝送装置のビットレートおよび周期を挿入し、そのビットレートおよび周期に基づいてパケット密度を算出するものである。したがって、図１９における伝送装置１０３は、図１８に示した実施例２の伝送装置１０３と、基本的な構成は同様である。また、図示は省略するが、実施例３にかかる伝送装置１０３は、実施例１にかかる伝送装置１０３と、基本的な構成を同じにしてもよい。
【０１１７】
実施例３にかかる伝送装置１０３が、実施例２にかかる伝送装置１０３と異なるのは、光パケット送受信部２０５のヘッダ生成・多重部１９０１、光パケットスイッチ部２０４のヘッダ抽出部１９０２、光波長スイッチ部２０６の光パケット密度算出部１９０３のみである。その他の構成については、実施例２にかかる伝送装置１０３と、実施例３にかかる伝送装置１０３とで、同様であるので、詳細な説明については省略する。
【０１１８】
ヘッダ生成・多重部１９０１は、光パケットのヘッダを生成し、分割された先頭のデータに光パケットヘッダを挿入する。経路情報ヘッダは、宛先情報（Ｄｓｔ．ＩＤ）、送信元ノード情報（Ｓｒｃ．Ｎｄｅ  ＩＤ）、パケット情報（Ｐａｃｋｅｔ  Ｉｎｆｏ．）、誤り訂正符号（ＥＣＣ（Ｅｒｒｏｒ  Ｃｏｒｒｅｃｔｉｏｎ  Ｃｏｄｅ））などに加えて、ビットレート情報（Ｂｉｔ  Ｒａｔｅ）および周期情報（周期）を挿入する。ヘッダ生成・多重部１９０１におけるその他は、ヘッダ生成・多重部１７０２と同様の構成である。
【０１１９】
ヘッダ抽出部１９０２は、Ｏ／Ｅ変換部１７１３において、Ｏ／Ｅ変換されたＷＤＭ光信号（光パケット信号）からヘッダを抽出し、抽出したヘッダを方路判定部１７１５へ送るとともに、ヘッダからパケット長情報と、ビットレート情報と、周期情報と、を抽出し、光波長スイッチ部２０６の光パケット密度算出部１９０３へ送る。ヘッダ抽出部１９０２におけるその他は、ヘッダ抽出部４０２と同様の構成である。
【０１２０】
光パケット密度算出部１９０３は、光パケットスイッチ部２０４のヘッダ抽出部１９０２から送られてきたパケット長情報と、ビットレート情報と、周期情報とから、パケット密度を算出する。光パケット密度算出部１９０３は、その他は、光パケット密度算出部４０３と同様の構成である。
【０１２１】
以上のように、実施の形態の伝送装置および伝送方法によれば、ヘッダ抽出部４０２が、受信する光パケット信号のヘッダから、当該光パケット信号のパケットの長さに関する情報を取得し、光パケット密度算出部４０３が、取得したパケットの長さと、光パケット信号を伝送するビットレートおよび周期と、に基づいて、光パケット信号のパケット密度を算出し、調整指示部４０４が、パケット密度に基づいて、ポストアンプ２０７へ出力する光パケット信号の出力パワーを制御する。
【０１２２】
これによって、ポストアンプ２０７に対する出力パワーの安定化を図ることができる。また、フィードフォワード制御をすることによって、光パケット信号のパワーの急速な変動にも対応することができる。
【０１２３】
その際、ビットレートおよび周期の少なくともいずれかは、光パケット信号のヘッダから抽出するようにしてもよい。これにより、パケット密度を算出するために必要な、対象となる光パケット信号のビットレート、周期を確実に取得することができる。また、ビットレート、周期が変更された場合にあっても、容易に対応することができる。
【０１２４】
また、実施の形態の伝送装置および伝送方法によれば、ＶＯＡ４０１を用いて光パケット信号の出力パワーの減衰量を制御するので、波長ごとに出力パワーを制御することができる。その際、パケット密度に対するＶＯＡの減衰量を制御する値に関する情報に基づいて、光パケット信号の出力パワーの減衰量を制御するので、簡易にかつ高速にＶＯＡの減衰量を制御することができる。
【０１２５】
また、遅延部１４０１によって、光パケット信号を所定時間だけ遅延させ、遅延させた光パケット信号をＶＯＡ４０１に入力するので、フィードフォワード制御の時間を稼ぐことができ、光パケット信号のパワーの急速な変動にも対応することができる。
【０１２６】
また、実施の形態の伝送装置および伝送方法によれば、複数のアッテネータ１３０１およびアッテネータ１３０１を切り換える高速光スイッチ１３００を用いて光パケット信号の出力パワーの減衰量を制御する。たとえば、アッテネータ１３０１に、出力パワーの減衰量の異なる光パケット信号をそれぞれ入力し、パケット密度に対して選択されるアッテネータ１３０１に関する情報に基づいて、高速光スイッチ１３００の切り換えを制御するので、より高速に出力パワーの減衰制御を実行することができる。
【０１２７】
さらに、遅延部１５０１が、光パケット信号を所定時間だけ遅延させ、遅延させた光パケット信号をアッテネータ１３０１に入力することにより、フィードフォワード制御の時間を稼ぐことができ、光パケット信号のパワーの急速な変動に対しても対応することができる。
【０１２８】
また、実施の形態の伝送装置および伝送方法によれば、パケット密度に関する情報とパケット密度に対する減衰量を制御する値に関する情報とを関連付けして記憶するデータベース４０５を備え、データベース４０５を用いて、光パケット信号の出力パワーの減衰量を制御する。これによって、より確実にかつ高速に、光パケット信号の出力パワーの減衰量を制御することができる。
【０１２９】
このように、ポストアンプ２０７への出力パワーの安定化を図ることができることから、パケット密度が大きくなり、ポストアンプ２０７の入力ダイナミックレンジを超過して装置故障が発生することを回避できる。また、パケット密度が低くなり、ポストアンプ２０７の入力断レベルとなりシャットダウン制御を引き起こすことを回避できる。したがって、実施の形態の伝送装置および伝送方法によれば、光パケット信号の伝送性能を向上させることができるものである。
【０１３０】
上述した実施の形態に関し、さらに以下の付記を開示する。
【０１３１】
（付記１）受信する光パケット信号のヘッダから、当該光パケット信号のパケットの長さに関する情報を取得し、
前記パケットの長さと、前記光パケット信号を伝送するビットレートおよび周期と、に基づいて、前記光パケット信号のパケット密度を算出し、
前記パケット密度に基づいて、ポストアンプへ出力する前記光パケット信号の出力パワーを制御することを特徴とする伝送装置。
【０１３２】
（付記２）ＶＯＡ（Ｖａｒｉａｂｌｅ  Ｏｐｔｉｃａｌ  Ａｔｔｅｎｕａｔｏｒ）を用いて前記光パケット信号の出力パワーの減衰量を制御することを特徴とする付記１に記載の伝送装置。
【０１３３】
（付記３）前記パケット密度に対する前記ＶＯＡの減衰量を制御する値に関する情報に基づいて、前記光パケット信号の出力パワーの減衰量を制御することを特徴とする付記２に記載の伝送装置。
【０１３４】
（付記４）前記光パケット信号を所定時間だけ遅延させ、遅延させた前記光パケット信号を前記ＶＯＡに入力することを特徴とする付記２または３に記載の伝送装置。
【０１３５】
（付記５）複数のアッテネーおよび前記アッテネータを切り換えるスイッチを用いて前記光パケット信号の出力パワーの減衰量を制御することを特徴とする付記１に記載の伝送装置。
【０１３６】
（付記６）前記アッテネータに、出力パワーの減衰量の異なる前記光パケット信号をそれぞれ入力し、
前記パケット密度に対して選択される前記アッテネータに関する情報に基づいて、前記スイッチの切り換えを制御することを特徴とする付記５に記載の伝送装置。
【０１３７】
（付記７）受信する前記光パケット信号を所定時間だけ遅延させ、遅延させた前記光パケット信号を前記アッテネータに入力することを特徴とする付記５または６に記載の伝送装置。
【０１３８】
（付記８）前記パケット密度に関する情報と前記パケット密度に対する前記減衰量を制御する値に関する情報とを関連付けて記憶するデータベースを備え、
前記データベースを用いて、前記光パケット信号の出力パワーの減衰量を制御することを特徴とする付記１〜７のいずれか一つに記載の伝送装置。
【０１３９】
（付記９）前記減衰量を制御する値は、前記光パケット信号の平均出力パワーを、あらかじめ定められた平均出力パワーの目標値になるように減衰させる値であることを特徴とする付記８に記載の伝送装置。
【０１４０】
（付記１０）前記平均出力パワーの目標値は、前記ポストアンプの入力許容範囲内の値であることを特徴とする付記９に記載の伝送装置。
【０１４１】
（付記１１）前記ビットレートおよび前記周期の少なくともいずれかは、前記光パケット信号のヘッダから抽出することを特徴とする付記１〜１０のいずれか一つに記載の伝送装置。
【０１４２】
（付記１２）前記ビットレートに前記周期を乗算した値で、前記パケットの長さを除算して、前記光パケットのパケット密度を算出することを特徴とする付記１〜１１のいずれか一つに記載の伝送装置。
【０１４３】
（付記１３）受信する光パケット信号のヘッダから、当該光パケット信号のパケットの長さに関する情報を取得し、
前記パケットの長さと、前記光パケット信号を伝送するビットレートおよび周期と、に基づいて、前記光パケット信号のパケット密度を算出し、
前記パケット密度に基づいて、ポストアンプへ出力する前記光パケット信号の出力パワーを制御することを特徴とする伝送方法。
【０１４４】
（付記１４）光パス信号と光パケット信号をそれぞれ別の複数波長に割り当てて運用する光パス／パケット統合ネットワーク装置であって、
受信する前記光パケット信号のヘッダから、当該光パケット信号のパケットの長さに関する情報を取得し、
前記パケットの長さと、前記光パケット信号を伝送するビットレートおよび周期と、に基づいて、前記光パケット信号のパケット密度を算出し、
前記パケット密度に基づいて、ポストアンプへ出力する前記光パケット信号の出力パワーを制御することを特徴とする光パス／パケット統合ネットワーク装置。
【符号の説明】
【０１４５】
１０３  伝送装置（ＷＤＭ光パス／パケット統合ネットワーク装置）
２０１  プリアンプ
２０２、２０６  光波長スイッチ部
２０３  光パス送受信部
２０４  光パケットスイッチ部
２０５  光パケット送受信部
２０７  ポストアンプ
４０１  ＶＯＡ
４０２  ヘッダ抽出部
４０３  光パケット密度算出部
４０４  調整指示部
４０５  データベース
１３００  高速光スイッチ
１３０１  アッテネータ
１４０１、１５０１  遅延部
【図１】
2018182643.tif 000004
【図２】
2018182643.tif 000005
【図３】
2018182643.tif 000006
【図４】
2018182643.tif 000007
【図５】
2018182643.tif 000008
【図６】
2018182643.tif 000009
【図７】
2018182643.tif 000010
【図８Ａ】
2018182643.tif 000011
【図８Ｂ】
2018182643.tif 000012
【図９】
2018182643.tif 000013
【図１０】
2018182643.tif 000014
【図１１】
2018182643.tif 000015
【図１２】
2018182643.tif 000016
【図１３】
2018182643.tif 000017
【図１４】
2018182643.tif 000018
【図１５】
2018182643.tif 000019
【図１６Ａ】
2018182643.tif 000020
【図１６Ｂ】
2018182643.tif 000021
【図１７】
2018182643.tif 000022
【図１８】
2018182643.tif 000023
【図１９】
2018182643.tif 000024
【図２０】
2018182643.tif 000025